(57)【要約】【課題】脈波の波形が異常な場合、または脈波の周期が異常な場合は、撮影したい心臓の鼓動の位相からずれた時間にＸ線撮影を行ってしまい、所望の心臓の位相でＸ線撮影が出来ていないと気づくのは撮影されたＸ線撮影画像を見てからであるという問題。【解決手段】心臓の鼓動の所定の位相でＸ線撮影を行うために、Ｘ線発生装置、Ｘ線撮影装置、前記Ｘ線発生装置と前期Ｘ線撮影装置とを制御する制御装置、心臓の鼓動を測定する脈波測定装置とを備えたＸ線撮影装置において、被検者の個人情報を用いて脈波伝播時間を補正してＸ線撮影を行うＸ線撮影装置。また、前記脈波が異常な場合は、前記制御装置に脈波信号が異常であることを表示する手段と、Ｘ線撮影を続行するか、Ｘ線撮影を中止するかを選択する手段とを有し、Ｘ線撮影の続行を選択した場合は脈波に非同期にＸ線撮影を行い、Ｘ線撮影の中止を選択した場合はＸ線撮影を行わないＸ線撮影装置。【選択図】        図１
2004357883.tif 000002
【特許請求の範囲】
【請求項１】
Ｘ線発生装置、Ｘ線撮影装置、前記Ｘ線発生装置と前期Ｘ線撮影装置とを制御する制御装置、心臓の鼓動を測定する脈波測定装置とを備え、前記脈波測定装置で測定した信号の所定の位相から設定した遅れ時間だけ遅れた時間にＸ線撮影を行うＸ線撮影装置において、心臓の鼓動の所定の位相でＸ線撮影を行うために、被検者の個人情報を用いて前記遅れ時間を補正してＸ線撮影を行う事を特徴とするＸ線撮影装置。
【請求項２】
前記被検者の個人情報は身長を含む事を特徴とする請求項１記載のＸ線撮影装置。
【請求項３】
前記遅れ時間は身長が小さくなるにしたがって長くなるように補正する事を特徴とする請求項２記載のＸ線撮影装置。
【請求項４】
前記被検者の個人情報は年齢を含む事を特徴とする請求項１記載のＸ線撮影装置。
【請求項５】
前記遅れ時間は年齢が高くなるにしたがって長くなるように補正する事を特徴とする請求項４記載のＸ線撮影装置。
【請求項６】
前記被検者の個人情報は血圧を含む事を特徴とする請求項１記載のＸ線撮影装置。
【請求項７】
前記遅れ時間は血圧が高くなるにしたがって長くなるように補正する事を特徴とする請求項６記載のＸ線撮影装置。
【請求項８】
前記被検者の個人情報は脈波周期を含む事を特徴とする請求項１記載のＸ線撮影装置。
【請求項９】
前記遅れ時間は脈波周期が長くなるにしたがって長くなるように補正する事を特徴とする請求項８記載のＸ線撮影装置。
【請求項１０】
前記Ｘ線撮影装置において、前記脈波測定装置で測定した信号が異常な場合は、前記制御装置に脈波信号が異常であることを表示する手段と、Ｘ線撮影を続行するか、Ｘ線撮影を中止するかを選択する手段とを有し、Ｘ線撮影の続行を選択した場合は脈波に非同期にＸ線撮影を行い、Ｘ線撮影の中止を選択した場合はＸ線撮影を行わないことを特徴とする請求項１記載のＸ線撮影装置。
【請求項１１】
前記脈波測定装置で測定した信号が異常と判断するのは、脈波が測定出来ない場合であることを特徴とする請求項１０記載のＸ線撮影装置。
【請求項１２】
前記脈波測定装置で測定した信号が異常と判断するのは、脈波の波形が異常な場合であることを特徴とする請求項１０記載のＸ線撮影装置。
【請求項１３】
前記脈波測定装置で測定した信号が異常と判断するのは、脈波の周期が異常な場合であることを特徴とする請求項１０記載のＸ線撮影装置。
【発明の詳細な説明】
【０００１】
【発明の属する技術分野】
本発明はＸ線発生部、Ｘ線撮影部、前記Ｘ線発生部と前期Ｘ線撮影部とを制御する制御部、心臓の鼓動を測定する脈波測定部とを備え、前記脈波測定部で測定した信号の所定の位相でＸ線撮影を行うＸ線撮影装置に関するものである。
【０００２】
【従来の技術】
従来、医療診断を目的とする放射線撮影である医療用放射線撮影において、（スポット）撮影には、Ｘ線写真フィルムを用いたＸ線撮影が行われていた。この方法によれば、被検体を透過したＸ線等の放射線がＸ線写真フィルムを感光させ、Ｘ線写真フィルム上には放射線画像が形成される。そして、このフィルムを現像・定着処理することによってＸ線画像を可視化することができる。
【０００３】
また、最近では放射線画像をディジタル的に取り込むディジタルＸ線撮影装置が種々開発されている。Ｘ線に感度を持ち、検出したＸ線をその強度に応じた電気信号に変換・出力する光電変換素子を平面状に多数配置した平面検出器を用いて、Ｘ線画像を電気信号に変換し、Ａ／Ｄ変換によってディジタル的に取り込む手法等がある。そして、ディジタル的に取り込んだＸ線画像はＣＲＴ等に表示、またはプリンタにフィルムとして出力することでＸ線撮影画像を確認できる。
【０００４】
そして、近年、ステレオＸ線撮影方法やディジタルサブトラクションアンギオＸ線撮影方法が注目されてきており、特開平６−８４５９８に記載されているように、心臓の鼓動に同期して、心臓の鼓動のある位相でＸ線撮影を行うＸ線発生装置が開発されている。
【０００５】
このＸ線発生装置は、Ｘ線発生装置と、被写体の生体信号を検出する生体センサーと、前記生体センサーにより検出された生体信号に同期して前記Ｘ線発生装置からＸ線を発生させる制御装置とを備えたＸ線発生装置であり、前記Ｘ線発生装置は、前記生体信号が発生したタイミングからの遅れ時間を入力する遅れ設定部と、前記遅れ設定部から入力された遅れ時間を記憶しておく記憶部と、前記生体信号の発生タイミングから前記記憶部に記憶された前記遅れ時間だけ遅れたタイミングで前記Ｘ線発生部からＸ線を発生させる制御とを備えたＸ線発生装置である。
【０００６】
被写体の生体信号を検出する生体センサーとしては、心臓が鼓動する時に発生する電位を検出する心電測定装置や、血液が心臓の収縮により大動脈に押し出された時に発生した血管内の圧力変化が抹消方向に伝わって行く時の波動を検出する脈波測定装置等がある。しかし、心電測定装置の波形は複雑で、被検者によって個人差があり扱いにくい。その反面、脈波測定装置の波形は単純なので、生体センサーとしてよく用いられる。
【０００７】
【発明が解決しようとする課題】
しかしながら、前記従来例では生体センサーとして脈波測定装置を用いた場合、血液が心臓の収縮により大動脈に押し出された時に発生した血管内の圧力変化が抹消方向に伝わって行くまでの時間（以下では、脈波伝播時間と称す）が被検者によって異なる。
【０００８】
脈波伝播時間が異なると、前記脈波測定装置により検出された脈波の所定の位相から一定の遅れた時に前記Ｘ線発生装置からＸ線を発生してＸ線撮影を行ったとしても、実際の心臓の鼓動の位相からずれた時間でＸ線撮影を行ってしまうという問題があった。
【０００９】
同様に、被検者の脈波の周期が異なっても、実際の心臓の鼓動の位相からずれた時間でＸ線撮影を行ってしまうという問題があった。
【００１０】
また、前記脈波測定装置により検出された脈波が測定できない場合は、Ｘ線撮影を行う事が出来ないという問題があった。
【００１１】
更に、脈波の波形が異常な場合、または脈波の周期が異常な場合は、撮影したい心臓の鼓動の位相からずれた時間にＸ線撮影を行ってしまい、所望の心臓の位相でＸ線撮影が出来ていないと気づくのは撮影されたＸ線撮影画像を見てからであるという問題があった。
【００１２】
【課題を解決するための手段】
上記問題は、Ｘ線発生装置、Ｘ線撮影装置、前記Ｘ線発生装置と前期Ｘ線撮影装置とを制御する制御装置、心臓の鼓動を測定する脈波測定装置とを備え、前記脈波測定装置で測定した信号の所定の位相から設定した遅れ時間だけ遅れた時間にＸ線撮影を行うＸ線撮影装置において、心臓の鼓動の所定の位相でＸ線撮影を行うために、被検者の個人情報を用いて前記遅れ時間を補正してＸ線撮影を行う事を特徴とするＸ線撮影装置と、前記脈波測定装置で測定した信号が異常な場合は、前記制御装置に脈波信号が異常であることを表示する手段と、Ｘ線撮影を続行するか、Ｘ線撮影を中止するかを選択する手段とを有し、Ｘ線撮影の続行を選択した場合は脈波に非同期にＸ線撮影を行い、Ｘ線撮影の中止を選択した場合はＸ線撮影を行わないことを特徴とするＸ線撮影装置によって解決する。
【００１３】
【発明の実施の形態】
（実施例）
以下に、本発明の実施例を詳細に説明する。そして、本実施例では、ディジタルＸ線撮影装置を例にあげて説明する。
【００１４】
図１に、本発明のＸ線撮影装置の概略ブロック図を示す。
【００１５】
１はＸ線発生源、２はＸ線を発生するための曝射スイッチ、３はＸ線発生装置、７はＸ線撮影装置全体を制御する制御装置（以下では、コンピュータと称す）であり、曝射スイッチ２が押されると、Ｘ線発生装置３はそれを検出して、Ｘ線要求信号をコンピュータ７に出力する。そして、コンピュータ７はＸ線撮影条件が整えばＸ線発生許可信号をＸ線発生装置３に出力する。Ｘ線発生装置３がＸ線発生許可信号を受信すると、Ｘ線はＸ線発生源１から曝射される。
【００１６】
４は被検者の脈波を測定するためのセンサーであり、５はセンサー４からの信号を受信して脈波を測定するための脈波測定装置を示す。センサー４を被検者に取り付ける場所は脈波測定装置５によって様々であるが、本実施例では指先に取り付ける場合を例にあげて説明する。そして、脈波測定装置５はコンピュータ７と接続されており、コンピュータ７は脈波測定装置５が出力したアナログ信号をリアルタイムに受信する。また、コンピュータ７は不図示の２値化回路により、受信したアナログ信号を２値化信号に変換し、その２値化信号から被検者の心臓の鼓動を知る事ができる。
【００１７】
また、コンピュータ７は不図示の遅れ時間を入力する手段と、前記遅れ時間を補正する手段を有し、２値化した信号がＨｉｇｈになってから前記補正時間後にＸ線を発生する事により、心臓の鼓動の所定の位相でＸ線撮影を行う事が出来る。遅れ時間を補正する方法に関しては、後で詳細に説明する。
【００１８】
図５に心臓の鼓動を示す容積変化、脈波、脈波を２値化した信号とを示す。
【００１９】
図５において、Ａは心臓の容積変化を示したものであり、Ｐ１で示した期間が心臓の収縮期、Ｐ２で示した期間が心臓の拡張期である。また、ＡはＭＩＮ点で最小となり、この時に心臓が最も収縮した事になる。Ｂは脈波測定装置５で測定される脈波信号であり、ＭＡＸ点で最大となる。Ｃは脈波信号Ｂを２値化した信号であり、脈波信号Ｂが閾値Ｖｔよりも小さい場合がＬｏｗ、大きい場合はＨｉｇｈとなる。ただし、図５に示した様に、脈波が最大となるＭＡＸ点は心臓の容積が最小となるＭＩＮ点より遅れる。これは、血液が心臓の収縮により大動脈に押し出された時に発生した血管内の圧力変化が抹消方向に伝わって行くのに時間がかかるからである。従って、図１のコンピュータ７は図５のＣをモニターする事によって被検者の心臓の鼓動を知る事ができるが、実際の心臓の鼓動より遅れて知る事になる。
【００２０】
図１において、Ｘ線発生源１からＸ線が曝射されＸ線は、被検者９を透過して、Ｘ線を検出するＸ線撮影装置６によって検出される。Ｘ線撮影装置６は検出したＸ線を電気信号に変換し、Ａ／Ｄ変換によってディジタル信号に変換する。そして、ディジタル信号に変換されたＸ線画像はコンピュータ７に転送され、コンピュータ７のハードディスク等の情報記憶装置等に保存される。コンピュータ７に転送されたＸ線画像は、ＣＲＴ等の表示装置８に表示する事ができる。
【００２１】
また、コンピュータ７は脈波が正常であるか否かを判断し、測定した脈波が異常な場合は、異常であることを表示装置８に表示する。そして、コンピュータ７は、Ｘ線撮影を続行するか、Ｘ線撮影を中止するかを選択する手段とを有し、Ｘ線撮影の続行を選択した場合は脈波に非同期にＸ線撮影を行い、Ｘ線撮影の中止を選択した場合はＸ線撮影を行わないようにする。
【００２２】
次に、図２に本発明のフローチャートを示す。
【００２３】
最初に、Ｓ１でセンサー４を被検者の指先に取り付けて、脈波測定を開始する。Ｓ２では被検者情報、Ｓ３では遅れ時間Ｔ１をコンピュータ７に入力する。ここで、被検者情報は氏名、性別、年齢、身長、血圧等であるが、これに限定されるものではない。また、遅れ時間Ｔ１は従来例で述べた遅れ時間である。
【００２４】
次に、Ｓ４でコンピュータ７は補正時間Ｔ２を計算する。補正時間Ｔ２は脈波伝播時間が被検者によって異なるために、Ｓ３で入力した遅れ時間Ｔ１を脈波伝播時間で補正したものである。ここでは、被検者情報の身長を用いて補正時間Ｔ２を計算する方法を説明する。
【００２５】
脈波の速度をＶＰＷ、心臓からセンサー４を取り付けた指先までの距離をＬとした場合、脈波伝播時間ＴＰＷは
ＴＰＷ＝Ｌ／ＶＰＷ  ………（１）
で計算できる。従って、脈波伝播時間ＴＰＷは心臓から指先までの距離Ｌに比例する。一般的に、心臓から指先までの距離Ｌは身長に比例するために、身長をＨとした場合、（１）式を書き直すと、
ＴＰＷ＝ｋ＊Ｈ／ＶＰＷ  ………（２）
となる。ここで、ｋは定数で約０．４程度である。そのため、身長Ｈが大きくなるにしたがって脈波伝播時間ＴＰＷは長くなる。また、例えば身長１７０ｃｍの人の脈波伝播時間を基準にすると、身長１７０ｃｍの人の脈波伝播時間と、身長Ｈｃｍの人の脈波伝播時間との差をΔＴＰＷとした場合は、
ΔＴＰＷ＝ｋ＊（１７０−Ｈ）／ＶＰＷ  ………（３）
となる。従って、被検者の身長Ｈにかかわらず、心臓の鼓動の同じ位相でＸ線撮影を行うには、補正時間Ｔ２を
Ｔ２＝Ｔ１＋ΔＴＰＷ＝Ｔ１＋ｋ＊（１７０−Ｈ）／ＶＰＷ  ………（４）
と計算すればよい。従って、補正時間Ｔ２は身長が小さくなるにしたがって長くなる。
【００２６】
次に、Ｓ５は測定した脈波が正常が否かを判断する。コンピュータ７はＳ１からＳ４までの間に脈波の平均周期等を測定し、測定した平均周期から大きくずれた周期の脈波が測定された場合に脈波が異常と判断する。また、脈波が測定できない、脈波の波形が異常な場合も、脈波が異常と判断する。
【００２７】
Ｓ５で脈波が正常と判断した場合は、Ｓ６で曝射スイッチ２を押す。曝射スイッチ２が押されると、Ｘ線発生装置３はそれを検出して、Ｘ線要求信号をコンピュータ７に出力する。コンピュータ７は脈波信号を２値化した信号がＨｉｇｈになるまで待ち（Ｓ７）、その後、再び補正時間Ｔ２だけ待つ（Ｓ８）。
【００２８】
コンピュータ７は補正時間Ｔ２だけ待った後に、Ｘ線発生許可信号をＸ線発生装置３に出力する。Ｘ線発生装置３がＸ線発生許可信号を受信すると、Ｘ線発生源１からＸ線を曝射して、Ｘ線撮影を行う（Ｓ９）。そして、Ｘ線撮影が終わると、被検者の指先に取り付けたセンサー４を外して脈波測定を終了する（Ｓ１０）。
【００２９】
Ｓ５に戻り、脈波が異常であると判断するのは、脈波が測定出来ない場合、脈波の波形が異常な場合、脈波の周期が異常な場合等である。
【００３０】
図４に正常な脈波、異常な脈波、脈波を２値化した信号の例を示す。
【００３１】
図４において、Ａ１は正常な脈波であり、Ａ２はＡ１を２値化した信号を示す。図４に示した様に、正常な脈波はほぼ同じ波計が同じ周期であらわれる。従って、Ａ１を２値化した信号も、同じ周期でＨｉｇｈとＬｏｗを繰り返す。
【００３２】
Ｂ１は脈波が異常な場合を示し、脈波の波形や周期は問題ないが、脈波の振幅が小さいために、Ｂ１を２値化した信号Ｂ２はＬｏｗのままである。そのため、この場合は脈波が測定できないと判断される。
【００３３】
Ｃ１も脈波が異常な場合を示し、脈波の波形に異常がある場合である。Ｃ２はＣ１を２値化した信号であり、２値化した信号の周期が一定していないために脈波が異常と判断される。
【００３４】
また、Ｄ１も脈波が異常な場合を示し、脈波の波形に異常はないが、脈波の周期が一定していない。そのため、Ｄ１を２値化した信号Ｄ２の周期も一定していない。
【００３５】
図１のＳ５に戻り、脈波が異常であると判断した場合は、コンピュータ７は表示装置８に脈波が異常である事を表示し（Ｓ１１）、Ｘ線撮影を続行するか、またはＸ線撮影を中止するかのメッセージ等を表示する。Ｘ線撮影を行うＸ線技師は、心臓の鼓動に同期してＸ線撮影をおこなう事はできないが、それでもＸ線撮影を行いたいと判断すれば不図示の入力装置でＸ線撮影の続行選択し、Ｘ線撮影をおこなっても意味がないと判断すれば不図示の入力装置でＸ線撮影の中止を入力する（Ｓ１２）。
【００３６】
Ｓ１２において、Ｘ線撮影の中止を選択した場合は、被検者の指先に取り付けたセンサー４を外して脈波測定を終了する（Ｓ１０）。逆に、Ｘ線撮影の続行を選択した場合は、Ｓ１３で曝射スイッチ２を押す。曝射スイッチ２が押されると、Ｘ線発生装置３はそれを検出して、Ｘ線要求信号をコンピュータ７に出力する。そして、コンピュータ７はＸ線要求信号を受信すると、Ｘ線撮影条件が整えば直ちにＸ線発生許可信号をＸ線発生装置３に出力する。Ｘ線発生装置３がＸ線発生許可信号を受信すると、Ｘ線発生源１からＸ線を曝射して、Ｘ線撮影を行う（Ｓ９）。そして、Ｘ線撮影が終わると、被検者の指先に取り付けたセンサー４を外して脈波測定を終了する（Ｓ１０）。図３に本発明のタイミングチャートを示す。また、図３に示したタイミングチャートは身長が１６０ｃｍの人を例にあげて説明する。
【００３７】
図３において、Ａは心臓の容積変化を示したものである。また、Ｂは身長１７０ｃｍの人の脈波、Ｃは脈波Ｂを２値化した信号、Ｄは身長１６０ｃｍの人の脈波、Ｅは脈波Ｄを２値化した信号を示す。身長１７０ｃｍの人の脈波Ｂと身長１６０ｃｍの人の脈波Ｄを比較した場合、心臓の鼓動が同じでも脈波伝播時間が異なるために、身長１６０ｃｍの人の脈波Ｄは身長１７０ｃｍの人の脈波Ｂより進んでいる。
【００３８】
例えば、心臓が最も収縮したＭＩＮ点でＸ線撮影を行う場合は、図２に示した遅れ時間Ｔ１の時間を入力する。本実施例では、身長１７０ｃｍの人の脈波を基準としているために、身長１７０ｃｍの人に関して、２値化信号ＣがＨｉｇｈになってから心臓が最も収縮したＭＩＮ点までの時間を予め測定しておく。従って、遅れ時間Ｔ１は予め測定していた時間を入力すればよい。そして、今回１６０ｃｍの人をＸ線撮影を行う場合は、被検者情報の身長を入力すれば、（４）式を用いて補正時間Ｔ２をコンピュータが計算する。図３を見ればわかる様に、身長が小さくなると補正時間Ｔ２は長くなる。
【００３９】
図３において、ＦはＸ線要求信号、ＧはＸ線発生許可信号、ＨはＸ線曝射信号を示す。Ｘ線要求信号Ｆは、曝射スイッチが押されると、Ｘ線発生装置３がそれを検出してコンピュータ７に出力する信号であり、Ｈｉｇｈの時に曝射スイッチが押されている事を示す。
【００４０】
コンピュータ７はＸ線要求信号ＦがＨｉｇｈになると、２値化信号ＥがＨｉｇｈになるまで待つ。そして、２値化信号ＥがＨｉｇｈになると、補正時間Ｔ２だけ再び待つ。コンピュータ７は補正時間Ｔ２だけ待つと、Ｘ線発生許可信号ＧをＨｉｇｈとして、Ｘ線発生装置３に出力する。そして、Ｘ線発生装置３はＸ線発生許可信号ＧがＨｉｇｈになると、直ちにＸ線曝射信号ＨをＨｉｇｈとして、Ｘ線発生源１からＸ線を曝射する。そして、曝射されるＸ線は心臓が最も収縮したＭＩＮ点の時である。その後、Ｘ線の曝射が終了すると、コンピュータ７はＸ線発生許可信号ＧをＬｏｗとする。また、曝射スイッチを押すのを止めると、Ｘ線発生装置３はＸ線要求信号ＦをＬｏｗとする。
【００４１】
次に、他の実施例１として、補正時間Ｔ２を被検者の年齢を用いて補正する方法を説明する。
【００４２】
一般的に、脈波の速度ＶＰＷは年齢が高くなるにしたがって速くなる事が知られている。脈波の速度ＶＰＷと年齢との関係は複雑であるが、近似的に
ＶＰＷ＝α＊Ａ＋γ１  ………（５）
の式であらわす事ができる。ここで、αは定数、Ａは被検者の年齢、γ１は定数である。そして、定数の値としては、αは約９．５、γ１は約２５０程度である。
【００４３】
脈波の速度をＶＰＷが年齢によって変化するので、脈波伝播時間ＴＰＷも年齢によって変化する。心臓からセンサー４を取り付けた指先までの距離をＬとした場合、脈波伝播時間ＴＰＷは（１）式で求める事ができるために、（５）式を考慮すると、
ＴＰＷ＝Ｌ／（α＊Ａ＋γ１）  ………（６）
となる。そのため、年齢が増えるにしたがって脈波伝播時間ＴＰＷは短くなる。また、年齢３０歳の人の脈波伝播時間を基準にすると、年齢Ａ歳の人の脈波伝播時間との差をΔＴＰＷとした場合は、
ΔＴＰＷ＝Ｌ／（３０＊α＋γ１）−Ｌ／（α＊Ａ＋γ１）  ………（７）
となる。従って、被検者の年齢にかかわらず、心臓の鼓動の同じ位相でＸ線撮影を行うには、補正時間Ｔ２を
2004357883.tif 000003
と計算すればよい。ここで、Ｔ１は既に説明した遅れ時間である。従って、年齢が高くなるにしたがって、補正時間Ｔ２は長くなる。
【００４４】
また、他の実施例２として、補正時間Ｔ２を被検者の血圧を用いて補正する方法を説明する。
【００４５】
一般的に、脈波の速度ＶＰＷは血圧が高くなるにしたがって速くなる事が知られている。脈波の速度ＶＰＷと血圧との関係は複雑であるが、近似的に
ＶＰＷ＝β＊Ｐ＋γ２  ………（９）
の式であらわす事ができる。ここで、βは定数、Ｐは被検者の最低血圧血、γ２は定数である。そして、定数の値としては、βは約３．５、γ２は約３００程度である。
【００４６】
脈波の速度をＶＰＷが血圧によって変化するので、脈波伝播時間ＴＰＷも年齢によって変化する。心臓からセンサー４を取り付けた指先までの距離をＬとした場合、脈波伝播時間ＴＰＷは（１）式で求める事ができるために、（９）式を考慮すると、
ＴＰＷ＝Ｌ／（β＊Ｐ＋γ２）  ………（１０）
となる。そのため、血圧が高くなるにしたがって脈波伝播時間ＴＰＷは短くなる。また、血圧８０ｍｍＨｇの人の脈波伝播時間を基準にすると、血圧ＰｍｍＨｇの人の脈波伝播時間との差をΔＴＰＷとした場合は、
ΔＴＰＷ＝Ｌ／（８０＊β＋γ２）−Ｌ／（β＊Ｐ＋γ２）  ………（１１）
となる。従って、被検者の血圧にかかわらず、心臓の鼓動の同じ位相でＸ線撮影を行うには、補正時間Ｔ２を
2004357883.tif 000004
と計算すればよい。ここで、Ｔ１は既に説明した遅れ時間である。従って、血圧が高くなるにしたがって、補正時間Ｔ２は長くなる。
【００４７】
次に、他の実施例３として、補正時間Ｔ２を被検者の脈波周期を用いて補正する方法を説明する。
【００４８】
被検者の脈波の周期が異なると、脈波の所定の位相から遅れ時間Ｔ１後にＸ線撮影を行っても、撮影したい心臓の鼓動の位相からずれた時にＸ線撮影を行ってしまう。そのため、被検者の脈波周期に依存しないように補正時間Ｔ２を計算する必要がある。脈波周期８００ｍｓの人の脈波周期を基準にすると、脈波周期ＴＰｍｓの人の補正時間Ｔ２は、
Ｔ２＝Ｔ１＊ＴＰ／８００  ………（１３）
と計算すればよい。従って、被検者の脈波周期が長くなるにしたがって補正時間Ｔ２は長くなる。
【００４９】
本実施例では、補正時間Ｔ２を（４）式を用いて計算しているが、これに限定されるものではなく、身長Ｈが小さくなるにしたがって補正時間Ｔ２が長くなればよい。
【００５０】
他の施例１では、補正時間Ｔ２を（８）式を用いて計算しているが、これに限定されるものではなく、被検者の年齢Ａが高くなるにしたがって補正時間Ｔ２が長くなればよい。
【００５１】
他の実施例２では、補正時間Ｔ２を（１２）式を用いて計算しているが、これに限定されるものではなく、被検者の血圧Ｐが高くなるにしたがって補正時間Ｔ２が長くなればよい。
【００５２】
他の実施例３では、補正時間Ｔ２を（１３）式を用いて計算しているが、これに限定されるものまた、他の実施例３では、脈波周期を用いて補正時間Ｔ２を計算しているが、これに限定されるものではなく、被検者の脈数を用いて計算してもよい。
【００５３】
また、補正補正時間２は、身長の場合は（４）式、年齢の場合は（８）式、血圧の場合は（１２）式、脈波の周期の場合は（１３）式を用いて別々に計算しているが、これに限定されるものではなく、例えば身長と年齢を組み合わせて補正時間Ｔ２を計算できる。その場合、身長が１７０ｃｍ、年齢が３０歳の人を基準にすれば、身長がＨｃｍ、年齢がＡ歳の人を基準にすれば、補正時間Ｔ２は
2004357883.tif 000005
と計算できる。更に、身長、年齢、血圧、脈波周期は上記式を用いて、自由に組み合わせて、補正時間Ｔ２を計算する事ができる。
【００５４】
また、他の実施例１では、補正補正時間Ｔ２を実際の年齢Ａによって補正しているが、これに限定されるものではなく、例えば、乳児、幼児、子供、成人、老人のように世代別に分類して、補正補正時間Ｔ２を補正してもよい。
【００５５】
また、本実施例では、身長は１７０ｃｍ、年齢は３０歳、最低血圧は８０ｍｍＨｇ、脈波周期は８００ｍｓの人を基準にしているが、これに限定されるものではない。
【００５６】
また、本実施例ではディジタルＸ線撮影装置を例にあげて説明したが、これに限定されるものではなく、例えばフィルムを用いたＸ線撮影装置を用いてもよい。
【００５７】
また、本実施例では、測定した脈波を２値化して、波形が正常か否かを判断しているが、これに限定されるものではなく、例えば測定した脈波をＡ／Ｄ変換する事により、コンピュータ７が波形が正常か否かを判断してもよい。
【００５８】
また、本実施例では、脈波が異常な場合は表示装置８にその事を表示しているが、これに限定されるものではなく、脈波が異常な場合は音等でしらせてもよい。
【００５９】
また、本実施例では、脈波測定装置５のセンサー４を被検者の指先に取り付けているが、これに限定されるものではなく、耳朶等でもよい。
【００６０】
【発明の効果】
以上説明したように、本発明によれば、被検者によって脈波伝播時間が異なっても、被検者の個人情報で補正してＸ線撮影をおこなうために、実際の心臓の鼓動の位相からずれた時間でＸ線撮影を行ってしまうという問題はなくなる。
【００６１】
また、被検者の脈波の周期が異なっても、被検者の脈波周期で補正してＸ線撮影をおこなうために、実際の心臓の鼓動の位相からずれた時間でＸ線撮影を行ってしまうという問題はなくなる。
【００６２】
また、前記脈波測定装置で脈波が測定できない場合は、脈波が異常である事が表示され、Ｘ線撮影の続行を選択した時は脈波に非同期にＸ線撮影を行いＸ線撮影を行うために、Ｘ線撮影ができないという問題はなくなる。
【００６３】
更に、前記脈波測定装置で測定した脈波が異常な場合は、技師は脈波が異常である事を事前に知る事ができ、Ｘ線撮影の中止を選択した時はＸ線撮影を中止できるようになる。また、Ｘ線撮影の続行を選択した時は脈波に非同期にＸ線撮影を行いＸ線撮影を行うために、Ｘ線撮影を行う事もできる。
【図面の簡単な説明】
【図１】本発明のＸ線撮影装置の概略ブロック図
【図２】本発明のフローチャート
【図３】本発明のタイミングチャート
【図４】正常な脈波、異常な脈波、脈波を２値化した信号とを示した図
【図５】心臓の容積変化、脈波、脈波を２値化した信号とを示した図
【符号の説明】
１  Ｘ線発生源
２  曝射スイッチ
３  Ｘ線発生装置
４  心臓の鼓動を測定するためのセンサー
５  心臓の鼓動を測定する装置
６  Ｘ線撮影装置
７  ホストコンピュータ
８  表示装置
９  被検者
【図１】
2004357883.tif 000006
【図２】
2004357883.tif 000007
【図３】
2004357883.tif 000008
【図４】
2004357883.tif 000009
【図５】
2004357883.tif 000010